(57)【要約】【課題】釣糸を軽く動かすだけで疑似餌としてのソフトルアーの尾部を生きの良い生餌のように細かく動かすことが可能なソフトルアーを比較的簡単且つ安価な構成で実現する。【解決手段】釣針が装着されるルアー本体と、該ルアー本体に装着される補助装着具とを備える釣具であって、前記ルアー本体は、少なくとも頭部よりも後方側に配置された後方部が軟質材で形成されており、前記後方部は、頭部側よりも薄肉の尾部を含むように構成され、前記補助装着具は、中央に挿通部として貫通穴が形成された薄厚の輪状に形成され、前記貫通穴が前記ルアー本体の後方部に挿通装着されて用いられる。【選択図】  図４
2020000150.tif 000002
【特許請求の範囲】
【請求項１】
釣針が装着されるルアー本体の少なくとも頭部よりも後方側に配置された後方部が軟質材で形成されており、前記後方部は、頭部側よりも薄肉の尾部を含むルアーにおいて、
中央に挿通部を有する薄厚状に形成され、前記中央の挿通部が前記ルアー本体の後方部に挿通装着されて用いられることを特徴とする補助装着具。
【請求項２】
請求項１に記載の補助装着具において、前記補助装着具は、前記中央の挿通部として貫通穴が形成された薄厚の略輪状に形成されていることを特徴とする補助装着具。
【請求項３】
請求項１又は２に記載の補助装着具において、前記補助装着具は、軟質材により形成されていることを特徴とする補助装着具。
【請求項４】
釣針が装着されるルアー本体と、該ルアー本体に装着される補助装着具とを備える釣具であって、
前記ルアー本体は、少なくとも頭部よりも後方側に配置された後方部が軟質材で形成されており、前記後方部は、頭部側よりも薄肉の尾部を含むように構成され、
前記補助装着具は、中央に挿通部を有する薄厚状に形成され、前記中央の挿通部が前記ルアー本体の後方部に挿通装着されて用いられることを特徴とする釣具。
【発明の詳細な説明】
【技術分野】
【０００１】
本発明は、釣具に関し、特に、軟質材で構成され、魚・エビ・イカ・昆虫等の生餌を模した外形を有するソフトルアーに関する。
【背景技術】
【０００２】
ルアーフィッシングと呼ばれる釣りの分野において、生餌に代えてルアーと呼ばれる疑似餌が用いられ、生餌を使う釣りに比べて、餌の保存、管理に手間がなく、女性や子供にも抵抗なく使えるため、レジャー或いはスポーツとして人気が増している。疑似餌を木製・金属製・硬質樹脂製等の硬質材で形成するものはハードルアー、ラバー・エラストマー・軟質樹脂又はゴム等の軟質材で構成するものはワーム又はソフトルアーと呼ばれている。ソフトルアーは、このように、軟質材で構成され、その形状や着色により生餌を模した外形を有する疑似餌であり、魚・エビ・イカ・昆虫等の生餌に代えて釣糸ラインに連結して使用する。かかるソフトルアーに関しては、本物に近い外観・質感・動き等を具現化し、或いはその交換等における利便性を高めるため、様々な形態のものが提案されている。
【０００３】
特許文献１には、疑似魚部の尾側端部に差し入れた軸部に回転自在なプロペラを備えたルアーが開示されている。このルアーでは、プロペラの回転音や回転により生じる水流により魚の興味が惹きつけられ、また、疑似魚部への水の抵抗及びプロペラが受ける水の抵抗により疑似魚部が不規則に泳動することにより、魚を誘うことが可能である。
【０００４】
特許文献２には、ルアー本体が軟質素材で形成された従来のルアー（「軟質ワーム」と呼ばれる。）の一例が開示されている。特許文献１に開示の魚型ルアー１では、ルアー本体２が、頭部３と、頭部３よりも後方側に配置された後方部４とを含み、後方部４が１つ以上の肉薄部４ａを含むので、釣糸を介した操作により、魚らしい動きを実現できる。
【０００５】
特許文献３には、ルアー本体が軟質素材で形成された従来のルアーの他の一例が開示されている。特許文献２に開示のルアーでは、釣糸結束アイ挿入孔８の後方至近位置に、ルアー本体における上面から外方に向けてのびる板状の水受けリップ９が設けられており、当該リップが設けられることにより、ルアーの遊泳時に発生する振動を、釣糸１２を介して釣り人に的確に伝えることができるようになっている（特許文献３の図１参照）。
【先行技術文献】
【特許文献】
【０００６】
【特許文献１】特開２００１−２０４３０１号公報
【特許文献２】特開２００６−２２３２９６号公報
【特許文献３】特開２０１１−１７２５００号公報
【発明の概要】
【発明が解決しようとする課題】
【０００７】
ここで、疑似餌により釣り上げたい魚は、水中において疑似餌の下方又は後方から喰いつくことが多いため、疑似餌の尾部が生餌のように見えることが重要であり、尾部が生きの良い小魚や虫のように細かに振られていると、生餌と錯覚して喰いつき易いので、疑似餌としてのソフトルアーも、その尾部を生きの良い生餌のように動かせるかが極めて重要である。
【０００８】
しかしながら、従来のソフトルアーでは、釣竿の操作により疑似餌としてのルアーを水中で魚が泳ぐように動かすことはできても、例えば、魚や水生昆虫がゆっくり泳ぎながらその尾部を細かく搖動させるような動き、或いは水中で溺れた陸生昆虫がもがきながらその尾部を振るような動きを具現化することが不可能であった。即ち、疑似餌としてのソフトルアーの尾部を生きの良い生餌のように細かく動かすことを可能とするものは皆無であった。また、仮に尾部を動かすことが出来ても、そのために複雑な、或いはコストの高い構成が必要であれば、魚に取られたり、石・岩等の障害物に引っ掛けたりして何回も付け替える可能性のある疑似餌として好ましいとは言えないという問題点もある。例えば、特許文献１記載のルアーでは、疑似魚部の尾側端部に軸部を差し入れ、その軸部にプロペラを回転自在に取り付けるという複雑な構成となり、消耗品としてのルアーとしてはコストが割高になる一方、プロペラの回転という機械的な動作に基づいて疑似魚部の尾側端部が搖動するので、不自然な動きとなるのは避けられない。尚、特許文献２記載のように、ルアー本体が軟質素材で形成されたルアーに対して、リップを設けても、形状等について左右均等性が劣るため、水中にてバランスがとりづらく、予測不可能な動きをするだけであり、その尾部に規則正しく生餌らしい左右の細かい動き（揺動）を安定して実現することは不可能であった。
【０００９】
本発明は上述のような事情から為されたものであり、その目的は、上記の問題点を解消し、釣糸を軽く動かすだけで疑似餌としてのソフトルアーの尾部を生きの良い生餌のように細かく動かすことが可能なソフトルアーを比較的簡単且つ安価な構成で実現することにある。
【課題を解決するための手段】
【００１０】
本発明者は、上記の問題点を解消することができる新たなソフトルアーの構造について地道な実証的研究を鋭意重ねた結果、釣針が装着されるルアー本体と、該ルアー本体に装着される補助装着具とを備える釣具を案出した。即ち、ルアー本体は、いわゆるソフトルアーであり、少なくとも頭部よりも後方側に配置された後方部が軟質材で形成されており、前記後方部は、頭部側よりも薄肉の尾部を含むように構成され、前記補助装着具は、中央に挿通部を有する薄厚状に形成され、前記中央の挿通部が前記ルアー本体の後方部に挿通装着されて用いられるようにした。この釣具（補助装着具を装着したソフトルアー）を用いることにより、釣糸を軽く引くだけで疑似餌としてのソフトルアーの尾部を本物（生きの良い生餌）のように細かく動かすことが可能となることを見出した。
【００１１】
即ち、上記目的を達成するため、本発明の第１の様相に係る補助装着具は、釣針が装着されるルアー本体の少なくとも頭部よりも後方側に配置された後方部が軟質材で形成されており、前記後方部は、頭部側よりも薄肉の尾部を含むルアーにおいて、中央に挿通部を有する薄厚状に形成され、前記中央の挿通部が前記ルアー本体の後方部に挿通装着されて用いられることを特徴とする。
【００１２】
ここで、前記補助装着具は、前記中央の挿通部として貫通穴が形成された薄厚の略輪状に形成されているのが好適であり、また、前記補助装着具は、軟質材により形成されているのが望ましい。尚、前記補助装着具は、中央に挿通部が形成された薄厚の略輪状に形成されていれば良く、ルアー本体の胴回りに完全な輪状に（環状に）形成されていなくても、例えば、輪の一部が切り欠かれていたり、ルアー本体の胴回りを襟巻状に覆うようなものでも良い。
【００１３】
また、上記目的を達成するため、本発明の第２の様相に係る釣具は、釣針が装着されるルアー本体と、該ルアー本体に装着される補助装着具とを備える釣具であって、前記ルアー本体は、少なくとも頭部よりも後方側に配置された後方部が軟質材で形成されており、前記後方部は、頭部側よりも薄肉の尾部を含むように構成され、前記補助装着具は、中央に挿通部を有する薄厚状に形成され、前記中央の挿通部が前記ルアー本体の後方部に挿通装着されて用いられることを特徴とする。
【図面の簡単な説明】
【００１４】
【図１】本発明の第１の実施形態の補助装着具及びソフトルアーの構成を示す図であり、（Ａ）は、その補助装着具が装着されるソフトルアーの平面図、（Ｂ）は、その補助装着具の正面図、（Ｃ）は、その補助装着具が装着されたソフトルアーの平面図である。
【図２】図１（Ｃ）に示したソフトルアーを釣針に装着し、その釣針が取付けられた釣糸を釣竿等を介して水中にて引くように操作した場合のソフトルアーの尾部の動きを説明するための図であり、（Ａ）は、その未操作状態の平面図、（Ｂ）は、その操作による尾部の動きを説明するための図である。
【図３】本発明の第１の実施形態の補助装着具の変形例の構成を示す図であり、（Ａ）は、その第１の変形例の補助装着具の正面図、（Ｂ）は、その第２の変形例の補助装着具の正面図である。
【図４】本発明の第１の実施形態の補助装着具の他の変形例の構成を示す図であり、（Ａ）は、その第３の変形例の補助装着具の側面図、（Ｂ）は、その第４の変形例の補助装着具の側面図、（Ｃ）は、その第５の変形例の補助装着具の側面図ある。
【図５】図４（Ａ）に示した第３の変形例の補助装着具を装着したソフトルアーの使用態様を説明するための図である。
【図６】本発明の第２の実施形態の補助装着具及びソフトルアーの構成を示す図であり、（Ａ）は、その補助装着具が装着されるソフトルアーの平面図、（Ｂ）は、その補助装着具の正面図、（Ｃ）は、その補助装着具が装着されたソフトルアーの平面図である。
【図７】図６（Ｃ）に示したソフトルアーの尾部の動きを説明するための平面図である。
【図８】本発明の第３の実施形態の釣具（ソフトルアー）の平面図である。
【発明を実施するための形態】
【００１５】
本発明の実施形態について図面を参照して説明する。図１は、本発明の第１の実施形態の補助装着具及びソフトルアーの構成を示す図であり、（Ａ）は、その補助装着具が装着されるソフトルアーの平面図、（Ｂ）は、その補助装着具の正面図、（Ｃ）は、その補助装着具が装着されたソフトルアーの平面図である。図２は、図１（Ｃ）に示したソフトルアーを釣針に装着し、その釣針が取付けられた釣糸を釣竿等を介して水中にて引くように操作した場合のソフトルアーの尾部の動きを説明するための図であり、（Ａ）は、その未操作状態の平面図、（Ｂ）は、その操作による尾部の動きを説明するための図である。
【００１６】
ここで、本発明の補助装着具２０は、図２に示す釣針Ｈが装着されるルアー本体１２の少なくとも頭部１２Ａよりも後方側に配置された後方部１２Ｂが軟質材で形成されており、後方部１２Ｂは、頭部１２Ａ側よりも薄肉の尾部１２Ｃを含むソフトルアー１０に装着されて用いられる。また、本発明の補助装着具２０は、中央に挿通部２２を有する薄厚状に形成され、中央の挿通部２２がルアー本体１２の後方部１２Ｂに挿通装着されて用いられることを本質としている。即ち、本発明の補助装着具２０は、ソフトルアーに補助的に装着されて用いられる釣具の一部品であり、対象となるソフトルアーは、各種の形状・材質・デザインの汎用品でも、マニアにより個人的に製作される一品製作物でも良い。また、対象となるソフトルアーのサイズに応じて、本発明の補助装着具２０（及びその挿通部２２）のサイズも変えることができる。
【００１７】
ここで、本発明の第１の実施形態の補助装着具２０は、図１（Ｂ）に示すように、薄厚の輪状に形成された鍔部２１と、鍔部２１の中央に貫通穴として形成された挿通部２２とを有している。また、補助装着具２０は、軟質材により形成されている。軟質材としては、合成樹脂、ゴム等様々なものが考えられるが、特に、シリコンゴム、エラストマー（合成ゴム）、塩化ビニル（プラスチック）等が好適である。このような軟質材で形成されていれば、様々な形状やサイズのソフトルアーに装着し易くなる。
【００１８】
本願明細書の発明が解決しようとする課題の欄において前述したように、疑似餌としてのルアー１０により釣り上げたい魚は、水中においてルアー１０の下方又は後方から喰いつくことが多いが、本実施形態の補助装着具２０が装着されたソフトルアー１０では、ルアー本体１２の尾部１２Ｃが生餌のように見えるという類いまれな作用効果が得られる。即ち、図１（Ｃ）に示す本実施形態の補助装着具２０が装着されたソフトルアー１０を、図２（Ａ）に示すように、釣針Ｈに装着し、釣針Ｈが取付けられた釣糸を図示しない釣竿等を介して水中にて引くように操作すると、図２（Ｂ）に示すように、尾部１２Ｃが生きの良い小魚や虫のように細かに振られている、即ち、ルアー本体１２の尾部１２Ｃを生きの良い生餌のように細かく振動させて動かせるので、魚が生餌と錯覚して喰いつき易い。従って、釣竿の操作により疑似餌としてのルアーを水中で魚が泳ぐように動かすことができるだけではなく、例えば、魚や水生昆虫がゆっくり泳ぎながらその尾部を細かく搖動させるような動き、或いは水中で溺れた陸生昆虫がもがきながらその尾部を振るような動きを具現化することが可能である。しかも、疑似餌としてのソフトルアー１０の尾部１２Ｃを生きの良い生餌のように細かく動かすことが可能であるだけではなく、そのために補助装着具２０の挿通部２２をルアー本体１２の後方部１２Ｂに挿通装着して用いるだけで済むので、複雑な、或いはコストの高い構成は不要であり、仮に、魚に取られたり、石・岩等の障害物に引っ掛けたりして何回も付け替える可能性のある疑似餌としてのソフトルアー１０に好適に使用できる。即ち、消耗品としてのルアーとしてはコストが割高になることも無く、尾部１２Ｃ等に機械的な構成を付加するわけでも無いので、尾側１２Ｃの動きが不自然な動きとなることも無い。尚、補助装着具２０をルアー本体全体が軟質素材で形成されたルアーに対して装着した場合にも、形状等について左右均等性が確保されているので、水中にてバランスがとり易く、その尾部１２Ｃに規則正しく生餌らしい左右の細かい動き（揺動）を安定して実現することが可能である。尚、本実施形態の補助装着具２０について、釣の上級者から初心者まで多数の試験者により、その効果を確認する試験を行った。水道水を充たした水槽中において、釣人の如何によらず、上述した操作により、同様の尾部１２Ｃの微振動を得られた。また、実際の海岸の岩場（潮溜まり）等においても、上述した操作により、同様に尾部１２Ｃを微振動させ得ることを確認することができた。このように本実施形態の補助装着具２０をソフトルアー１０に装着することにより、尾部１２Ｃを生餌のように微振動させ得るのは、上述した操作により、補助装着具２０の抵抗により補助装着具２０の後方にて層流から乱流への遷移が生じ、この乱流が尾部１２Ｃに纏わりつくように流れていくことで実現されるものと解している。
【００１９】
このように、本実施形態の補助装着具２０が装着されたソフトルアー１０では、釣糸を軽く動かすだけで疑似餌としてのソフトルアー１０の尾部１２Ｃを生きの良い生餌のように細かく動かすことが可能になる。しかも、補助装着具２０は、ソフトルアーに補助的に装着されて用いられる釣具の一部品に過ぎないので、その単価も比較的安価であり、あり、様々な形状・材質・デザイン・サイズのソフトルアーに装着可能である、即ち、適用範囲が広いという利点がある。
【００２０】
以上のように、補助装着具２０は、市販の汎用品等のソフトルアーに装着されて用いられる釣具の一部品であり、そのソフトルアーだけでは決して実現できない尾部１２Ｃの生きの良い生餌のような細かい動き（振動）を、補助的に具現化することを本質としている。従って、この本質的な機能を有するものである限り、補助装着具の形状等も様々な変形例が考えられる。図３は、本発明の第１の実施形態の補助装着具の変形例の構成を示す図であり、（Ａ）は、その第１の変形例の補助装着具の正面図、（Ｂ）は、その第２の変形例の補助装着具の正面図である。図３（Ａ）に示すように、この第１の変形例に係る補助装着具３０は、中央の挿通部３２としては、完全な貫通穴が形成されてはおらず、弁のように、切れ目の入った８個の切片により塞がれたようになっている。そして、この切片を押し開くようにルアー本体１２の後方部１２Ｂに挿通装着することで、補助装着具３０をソフトルアー１０に装着することができる。
【００２１】
また、図３（Ｂ）に示すように、本発明の第１の実施形態の第２の変形例に係る補助装着具４０は、中央の挿通部４２としては、貫通穴は一切形成されてはおらず、薄い膜状に閉塞されている。そして、この薄い膜状に閉塞された挿通部４２を破断させてルアー本体１２の後方部１２Ｂに挿通装着することで、補助装着具４０をソフトルアー１０に装着することができる。
【００２２】
図４は、本発明の第１の実施形態の補助装着具の他の変形例の構成を示す図であり、（Ａ）は、その第３の変形例の補助装着具の側面図、（Ｂ）は、その第４の変形例の補助装着具の側面図、（Ｃ）は、その第５の変形例の補助装着具の側面図ある。図４（Ａ）に示すように、この第３の変形例に係る補助装着具５０は、挿通部５２に貫通穴が形成されているのは同様であるが、補助装着具５０の周縁部に形成された鍔部５１の厚さに対して中央の挿通部５２は、その厚さ方向に整列しておらず、ルアー本体１２の頭部１２Ａ側に筒状に突出している。そして、この筒状に突出した挿通部５２にルアー本体１２を挿通装着することで、補助装着具５０をソフトルアー１０に装着することができる。
【００２３】
また、図４（Ｂ）に示すように、本発明の第１の実施形態の第４の変形例に係る補助装着具６０は、挿通部６２に貫通穴が形成されているのは同様であるが、補助装着具６０の周縁部に形成された鍔部６１の厚さに対して中央の挿通部６２は、その厚さ方向に整列しておらず、ルアー本体１２の頭部１２Ａ側と後方部１２Ｂ側の双方向に筒状に突出している。そして、この筒状に突出した挿通部６２にルアー本体１２を挿通装着することで、補助装着具６０をソフトルアー１０に装着することができる。
【００２４】
更に、図４（Ｃ）に示すように、本発明の第１の実施形態の第５の変形例に係る補助装着具７０は、挿通部７２に貫通穴が形成されているのは同様であるが、補助装着具７０の鍔部７３が２段構成になっている。各鍔部７３Ａ、７３Ｂの厚さに対して中央の挿通部７２は、その厚さ方向に整列しておらず、鍔部７３Ａでは、ルアー本体１２の頭部１２Ａ側に突出しておらず、鍔部７３Ｂでは、ルアー本体１２の頭部１２Ａ側と後方部１２Ｂ側の双方向に筒状に突出している。そして、この筒状の挿通部７２にルアー本体１２を挿通装着することで、補助装着具７０をソフトルアー１０に装着することができる。
【００２５】
以上に述べた本発明の第１の実施形態の第１乃至第５の変形例に係る補助装着具３０、４０、５０、６０、７０においても、上述した第１の実施形態の補助装着具２０と同様の作用効果が得られることを確認することができた。即ち、ソフトルアー１０に装着することで、尾部１２Ｃの生きの良い生餌のような細かい動き（振動）を、補助的に具現化するという本質的な機能を有することを確認することができた。
【００２６】
ここで、上述した変形例の補助装着具の効果的な使用方法について説明しておく。図５は、図４（Ａ）に示した第３の変形例の補助装着具を装着したソフトルアーの使用態様を説明するための図である。即ち、例えば、上述した第３の変形例の補助装着具５０を効果的に使用するには、上述したように、筒状に突出した挿通部５２にルアー本体１２を挿通装着することで、補助装着具５０を、図５に示すようにソフトルアー１０に装着した上で、釣針Ｈをソフトルアー１０に取付ける際に、釣針Ｈの先端側を筒状に突出した挿通部５２から突き出すように取付けることができる。このように釣針Ｈを取付けると、筒状に突出した挿通部５２がルアー本体１２の肉部を補強し、この挿通部５２を通して釣針Ｈの先端側を突き出すようにすることで、釣針Ｈがソフトルアー１０に確実に固定され、仮に、ソフトルアー１０が柔らかい塩化ビニル等から成る場合でも、釣針Ｈをソフトルアー１０にしっかりと固定することが可能になる。即ち、補助装着具５０を、釣針Ｈをソフトルアー１０に固定するための補強部材としても用いることができる。
【００２７】
本発明の第２の実施形態について図面を参照して説明する。図６は、本発明の第２の実施形態の補助装着具及びソフトルアーの構成を示す図であり、（Ａ）は、その補助装着具が装着されるソフトルアーの平面図、（Ｂ）は、その補助装着具の正面図、（Ｃ）は、その補助装着具が装着されたソフトルアーの平面図である。図７は、図６（Ｃ）に示したソフトルアーの尾部の動きを説明するための平面図である。本発明の第２の実施形態の補助装着具２００も、図７に示す釣針Ｈが装着されるルアー本体１２０の少なくとも頭部１２０Ａよりも後方側に配置された後方部１２０Ｂが軟質材で形成されており、後方部１２０Ｂは、頭部１２０Ａ側と略同じ径の尾部１２０Ｃを含むソフトルアー１００に装着されて用いられる。また、本発明の補助装着具２００は、中央に挿通部２２０を有する薄厚状に形成され、中央の挿通部２２０がルアー本体１２０の後方部１２０Ｂに挿通装着されて用いられることを本質としている。即ち、本発明の補助装着具２００も、ソフトルアーに補助的に装着されて用いられる釣具の一部品であり、対象となるソフトルアーが第１の実施形態のものと相違するので、そのソフトルアーのサイズや形状に応じて、本発明の補助装着具２００（及びその挿通部２２０）のサイズも変えている。尚、本実施形態の補助装着具２００は、図６（Ｂ）に示すように、薄厚の輪状に形成された鍔部２０１と、鍔部２０１の中央に貫通穴として形成された挿通部２２０とを有しているのは、第１の実施形態のものと同様である。また、補助装着具２００も、シリコンゴム、エラストマー（合成ゴム）、塩化ビニル（プラスチック）等の軟質材により形成されている。この第２の実施形態の補助装着具２００においても、上述した第１の実施形態の補助装着具２０と同様の作用効果が得られることを確認することができた。即ち、ソフトルアー１００に装着することで、尾部１２０Ｃの生きの良い生餌のような細かい動き（振動）を、補助的に具現化するという本質的な機能を有することを確認することができた。即ち、図６（Ｃ）に示す本実施形態の補助装着具２００が装着されたソフトルアー１００を、図７に示すように、釣針Ｈに装着し、釣針Ｈが取付けられた釣糸を図示しない釣竿等を介して水中にて引くように操作することで、図示はしないが、上述した第１の実施形態の補助装着具２０と同様に、尾部１２０Ｃを生きの良い生餌のように細かく振動させて動かせることを、その効果試験により確認することができた。この作用効果の原理としては、上述した第１の実施形態の場合と全く同様に、補助装着具２００の抵抗により補助装着具２００の後方にて層流から乱流への遷移が生じ、この乱流が尾部１２０Ｃに纏わりつくように流れていくことで実現されるものと解している。
【００２８】
本発明の別の様相として、補助装着具が装着されたソフトルアー全体を釣具の発明として構成することが可能である。即ち、本発明の釣具は、釣針が装着されるルアー本体と、該ルアー本体に装着される補助装着具とを備える釣具であって、前記ルアー本体は、少なくとも頭部よりも後方側に配置された後方部が軟質材で形成されており、前記後方部は、頭部側よりも薄肉の尾部を含むように構成され、前記補助装着具は、中央に挿通部を有する薄厚状に形成され、前記中央の挿通部が前記ルアー本体の後方部に挿通装着されて用いられることを特徴とする。
【００２９】
この釣具を用いれば、ルアー本体に上述した補助装着具２０（３０、４０、５０、６０、７０、２００）が装着済みなので、上述した補助装着具２０（３０、４０、５０、６０、７０、２００）を市販の汎用品のソフトルアーに後付けで装着した場合と同様の作用効果が得られることを確認することができた。即ち、この釣具（補助装着具が装着済みのソフトルアー）を用いることで、尾部１２Ｃの生きの良い生餌のような細かい動き（振動）を、この釣具（補助装着具が装着済みのソフトルアー）として、具現化するという本質的な機能を有することを確認することができる。
【００３０】
本発明の更に別の様相として、補助装着具をソフトルアーと一体的に形成した釣具の発明として構成することが可能である。図８は、本発明の第３の実施形態の釣具の平面図である。即ち、本発明の第３の実施形態の釣具は、図８に示すように、図示しない釣針が装着されるルアー本体３１２と一体的に形成された補助装着部３２０とを備える釣具としてのソフトルアー３００であって、前記ルアー本体３１２は、少なくとも頭部３１２Ａよりも後方側に配置された後方部３１２Ｂが軟質材で形成されており、前記後方部３１２Ｂは、頭部３１２Ａ側よりも薄肉の尾部３１２Ｃを含むように構成され、前記補助装着部３２０は、その鍔部３２２がルアー本体３１２と一体的に薄厚状に形成されていることを特徴とする。
【００３１】
この釣具としてのソフトルアー３００を用いれば、ルアー本体３１２に上述した鍔部３２２がルアー本体３１２と一体的に薄厚状に形成されているので、上述した補助装着具２０（３０、４０、５０、６０、７０、２００）を市販の汎用品のソフトルアーに後付けで装着した場合と同様の作用効果が得られることを確認することができた。即ち、この釣具（ソフトルアー）３００を用いることで、その尾部３１２Ｃの生きの良い生餌のような細かい動き（振動）を、この釣具（ソフトルアー）３００として、具現化するという本質的な機能を有することを確認することができた。
【００３２】
尚、上述した第１及び第２の実施形態においては、好ましくは、ソフトルアーは、塩化ビニルで製作し、補助装着具は、シリコンゴム又はエラストマーで製作することが考えられる。これに対して、上述した第３の実施形態においては、ソフトルアーと鍔部３２２とを同一の素材により一体的に製作することが望ましい。
【符号の説明】
【００３３】
１０、１００、３００  ソフトルアー、  １２、１２０  ルアー本体、
１２Ａ、１２０Ａ、３１２Ａ  頭部、  １２Ｂ、１２０Ｂ、３１２Ｂ  後方部、
１２Ｃ、１２０Ｃ、３１２Ｃ  尾部、    Ｈ  釣針、
２０、３０、４０、５０、６０、７０、２００、３２０  補助装着具、
２２、３２、４２、５２、６２、７２、２２０  挿通部、
２１、５１、６１、７３、７３Ａ、７３Ｂ、  ３２２  鍔部
【図１】
2020000150.tif 000003
【図２】
2020000150.tif 000004
【図３】
2020000150.tif 000005
【図４】
2020000150.tif 000006
【図５】
2020000150.tif 000007
【図６】
2020000150.tif 000008
【図７】
2020000150.tif 000009
【図８】
2020000150.tif 000010